(57)【特許請求の範囲】
【請求項１】
建物の外壁に貫通するように設置される宅配ボックスであって、
前記宅配ボックスの屋外側部分を構成する第一分割体と、
前記宅配ボックスの前記第一分割体よりも屋内側の部分を構成する第二分割体とを備え、
前記第一分割体は、
第一内部スペースが内側に形成された第一ハウジングと、
前記第一ハウジングの屋外側に露出する部分に設けられた荷受け口と、
前記荷受け口を開閉する第一扉と、
前記第一ハウジングに設けられ、前記外壁に固定される固定部と、
前記第一ハウジングに設けられ、前記第二分割体に接続される接続部と、を有し、
前記第二分割体は、
第二内部スペースが内側に形成された第二ハウジングと、
前記第二ハウジングの屋内側に露出する部分に設けられた荷出し口と、
前記荷出し口を開閉する第二扉と、を有し、
前記第一内部スペースと前記第二内部スペースとが組み合わさって、宅配物が収容されるスペースが形成され、
前記接続部は、前記第一ハウジングの屋内側の端部に位置し、
前記第二分割体は、前記第二ハウジングの屋外側の端部が第二接続部であり、
前記接続部と前記第二接続部とで接続され、前記接続部と前記第二接続部とが前記外壁の厚み内に収まり、前記第二分割体のうち前記第二接続部よりも屋内側の部分が前記外壁から突出していることを特徴とする宅配ボックス。
【請求項２】
前記固定部は、前記第一ハウジングから外側に突出するフランジで構成されていることを特徴とする請求項１に記載の宅配ボックス。
【請求項３】
前記第二ハウジングの屋内外方向と直交する方向を向く側面に、前記荷出し口が設けられていることを特徴とする請求項１または２に記載の宅配ボックス。
【請求項４】
前記接続部と前記第二分割体との間に介在する断熱材をさらに備えることを特徴とする請求項１乃至３のいずれか１項に記載の宅配ボックス。
【請求項５】
前記第一分割体は、その内面側に設けられた第一断熱材をさらに有し、
前記第二分割体は、その内面側に設けられた第二断熱材をさらに有することを特徴とする請求項１乃至４のいずれか１項に記載の宅配ボックス。
【請求項６】
請求項１乃至５のいずれか１項に記載の宅配ボックスを、前記建物の前記外壁に貫通するように設置する、宅配ボックスの設置方法であって、
壁下地に設けられた貫通孔に前記第一分割体を取り付ける第一工程と、
前記壁下地の屋内側に内装材を施工する第二工程と、
前記第一分割体に前記第二分割体を接続する第三工程と、を備え、
前記第一工程と前記第二工程と前記第三工程をこの順に行うことを特徴とする宅配ボックスの設置方法。
【発明の詳細な説明】
【技術分野】
【０００１】
本発明は、宅配ボックス及び宅配ボックスの設置方法に関する。
【背景技術】
【０００２】
特許文献１には、家屋の玄関の壁に設けた孔に、宅配物の受け箱を設置した構造が記載されている。
【０００３】
この構造では、受け箱は、壁を貫通しており、受け箱の大部分は、屋内に位置している。
【先行技術文献】
【特許文献】
【０００４】
【特許文献１】特開平７−３２７８０９号公報
【発明の概要】
【発明が解決しようとする課題】
【０００５】
特許文献１に記載の構造では、受け箱の設置後に、壁の屋内側にクロス等の内装材を施工する場合に、壁から屋内側に大きく突出する受け箱が邪魔になって、内装材の施工が行いにくいといった問題がある。
【０００６】
そこで、本発明の目的は、玄関の壁のような建物の外壁への設置にあたって、内装材の施工の邪魔になりにくい宅配ボックス及び宅配ボックスの設置方法を提案すること、にある。
【課題を解決するための手段】
【０００７】
本発明に係る一態様の宅配ボックスは、建物の外壁に貫通するように設置される宅配ボックスであって、前記宅配ボックスの屋外側部分を構成する第一分割体と、前記宅配ボックスの前記第一分割体よりも屋内側の部分を構成する第二分割体とを備える。
【０００８】
前記第一分割体は、第一内部スペースが内側に形成された第一ハウジングと、荷受け口と、前記荷受け口を開閉する第一扉と、前記外壁に固定される固定部と、前記第二分割体に接続される接続部と、を有する。前記荷受け口は、前記第一ハウジングの屋外側に露出する部分に設けられ、前記固定部と前記接続部は、前記第一ハウジングに設けられる。
【０００９】
前記第二分割体は、第二内部スペースが内側に形成された第二ハウジングと、前記第二ハウジングの屋内側に露出する部分に設けられた荷出し口と、前記荷出し口を開閉する第二扉と、を有する。
【００１０】
前記第一内部スペースと前記第二内部スペースとが組み合わさって、宅配物が収容されるスペースが形成される。
【００１１】
本発明に係る一態様の宅配ボックスの設置方法は、前記の宅配ボックスを、前記建物の前記外壁に貫通するように設置する、宅配ボックスの設置方法であって、第一工程と、第二工程と、第三工程とを備える。
【００１２】
前記第一工程では、壁下地に設けられた貫通孔に前記第一分割体を取り付ける。前記第二工程では、前記壁下地の屋内側に内装材を施工する。前記第三工程では、前記第一分割体に前記第二分割体を接続する。
【００１３】
前記第一工程と前記第二工程と前記第三工程をこの順に行う。
【発明の効果】
【００１４】
本発明に係る宅配ボックス及び宅配ボックスの設置方法では、玄関の壁のような建物の外壁への設置にあたって、内装材の施工の邪魔になりにくい。
【図面の簡単な説明】
【００１５】
【図１】図１は、本発明に係る実施形態１の宅配ボックスを示す斜視図である。
【図２】図２は、同上の宅配ボックスの設置構造を示す平断面図である。
【図３】図３は、図２のＡ部分を拡大した平断面図である。
【図４】図４Ａ〜図４Ｄは、同上の宅配ボックスの設置方法を順に示す平断面図である。
【図５】図５Ａは、同上の宅配ボックスの設置構造を屋外側から視たときの斜視図であり、図５Ｂは、同上の宅配ボックスの設置構造を屋内側から視たときの斜視図である。
【図６】同上の宅配ボックスの変更例を示す斜視図である。
【発明を実施するための形態】
【００１６】
本発明は、一般に、宅配ボックス及び宅配ボックスの設置方法に関し、より詳細には、玄関の壁のような建物の外壁に貫通するように設置される、宅配ボックス及び宅配ボックスの設置方法に関する。
【００１７】
（実施形態１）
図１には、本発明に係る実施形態１の宅配ボックス１が示されている。
【００１８】
宅配ボックス１は、玄関の壁のような建物の外壁２に貫通するように設置される。外壁２には、屋内外方向に貫通する貫通孔２０が設けられており、この貫通孔２０に宅配ボックス１が設置される。以下では、屋外側を前方とし、屋内側を後方とし、平面視において前後方向に直交する方向を左右方向として、各構成について説明する。各図において、矢印Ｘで示す方向が前方であり、矢印Ｙで示す方向が右方であり、矢印Ｚで示す方向が上方である。
【００１９】
図２には、宅配ボックス１の設置構造が示されている。外壁２は、壁下地２１と、胴縁２２と、外装材２３と、内装下地材２４と、内装仕上げ材２５とを有する。外装材２３、胴縁２２、壁下地２１、内装下地材２４、内装仕上げ材２５は、この順に、前側から後側へと並ぶ。外装材２３は、例えば、サイディング材であり、内装下地材２４は、例えば、石膏ボードであり、内装仕上げ材２５は、例えば、クロスである。
【００２０】
壁下地２１は、本実施形態では、２本の柱と、２本の柱に架け渡される２本の横架材を含む。２本の柱は、左右方向に離れて位置する。２本の横架材は、梁などであり、上下方向に離れて位置する。２本の柱と２本の横架材とで囲まれる部分に、貫通孔２０が形成されている。
【００２１】
図１及び図２に示すように、宅配ボックス１は、宅配ボックス１の前部分（屋外側部分）を構成する第一分割体３と、宅配ボックス１の第一分割体３よりも屋内側の部分（つまり後部分）を構成する第二分割体４とを備える。宅配ボックス１は、第一分割体３と第二分割体４とを組み合わせることによって箱状に形成される。
【００２２】
本実施形態では、第一分割体３は、宅配ボックス１のうち、内装下地材２４の後面（内装仕上げ材２５の取付面）よりも前方に位置する部分である。第一分割体３は、その略全体が、外壁２の貫通孔２０内に位置し、第一分割体３の前面が屋外側に露出している。第二分割体４は、その略全体が、外壁２の後面よりも後方（屋内側）に位置する。
【００２３】
第一分割体３は、前方から視て矩形枠状の第一ハウジング３０と、荷受け口３１と、荷受け口３１を開閉する第一扉３２と、外壁２に固定される固定部３３と、第二分割体４に接続される接続部３４とを有する。第一ハウジング３０の内側には、第一内部スペース３５が形成されている。荷受け口３１は、第一ハウジング３０の屋外側に露出する部分（本実施形態では第一ハウジング３０の前面）に設けられている。固定部３３と接続部３４は、第一ハウジング３０に設けられている。第一ハウジング３０、第一扉３２、固定部３３、接続部３４のそれぞれは、例えば、金属製である。
【００２４】
矩形枠状の第一ハウジング３０は、上枠部３００と、下枠部３０１と、左枠部３０２と、右枠部３０３を含む。枠部３００，３０１，３０２，３０３は、前方から視て矩形枠状に配されており、長手方向の隣接する端部同士が一体である。左枠部３０２と右枠部３０３のそれぞれは、上下方向を長手方向とする略角筒状である。
【００２５】
第一ハウジング３０の前面の上端部には、宅配業者等によって操作される操作部３６が設けられている。操作部３６は、第一扉３２を開くための開ボタン３６０と、伝票を差し込むための差込口３６１と、伝票に捺印するための捺印ボタン３６２とを有する。操作部３６よりも下方の、第一ハウジング３０の前面の開口が、荷受け口３１を構成している。
【００２６】
第一扉３２は、略矩形板状である。本実施形態では、第一扉３２は、その左端部を中心に回転して、荷受け口３１を開閉するように、第一ハウジング３０に回転自在に設けられている。なお、第一扉３２は、荷受け口３１を開閉可能なように、第一ハウジング３０に設けられればよく、右端部や下端部や上端部を中心に回転するように設けられてもよい。
【００２７】
第一ハウジング３０の後面の開口の縁部分が、第二分割体４に接続される接続部３４である。本実施形態では、左枠部３０２と右枠部３０３のそれぞれの後壁から後方に突片部３０４が突出している。各突片部３０４と、左右の枠部３０２，３０３の後壁のうちの突片部３０４よりも左右方向外側の部分とが、第二分割体４に接続される接続部３４を構成している。
【００２８】
本実施形態では、右枠部３０３は、左枠部３０２よりも左右方向の長さ（つまり厚み）が大きく、右枠部３０３の内側には、電子錠３７が設けられている。第一扉３２は、荷受け口３１を閉じる閉位置にあるときに、電子錠３７によってロックされる。操作部３６の開ボタン３６０が押されることで、電子錠３７によるロックは解除される。
【００２９】
左枠部３０２と右枠部３０３と下枠部３０１のそれぞれの前壁からは、前方に前突片部３０５が突出している。３つの前突片部３０５は、前方から視て、上方に開口した略Ｕ字状（コ字状）である。閉位置にあるときの第一扉３２は、３つの前突片部３０５で囲まれる空間に収容される。
【００３０】
第一ハウジング３０の枠部３００，３０１，３０２，３０３のそれぞれからは、フランジ３０７が外側に突出している。詳しくは、上枠部３００からは、フランジ３０７が上方に突出し、下枠部３０１からは、フランジ３０７が下方に突出し、右枠部３０３からは、フランジ３０７が右方に突出し、左枠部３０２からは、フランジ３０７が左方に突出している。
【００３１】
フランジ３０７は、枠部３００，３０１，３０２，３０３のそれぞれの長手方向に亘って設けられている。枠部３００，３０１，３０２，３０３のそれぞれのフランジ３０７は、本実施形態では、互いに別体の矩形板状であり、隣接する長手方向の端部同士が、連続していない。枠部３００，３０１，３０２，３０３のそれぞれのフランジ３０７が、外壁２に固定される固定部３３を構成している。
【００３２】
第一分割体３は、その内面側に設けられた第一断熱材３８をさらに有する。第一断熱材３８は、板状の断熱材である。第一断熱材３８としては、発泡スチロール等の周知の断熱材が用いられる。
【００３３】
第一断熱材３８は、第一ハウジング３０の内面側と、第一扉３２の内面側にそれぞれ設けられる。より詳細には、第一断熱材３８は、枠部３００，３０１，３０２，３０２のそれぞれの内面側と、第一扉３２の内面側（つまり閉位置にあるときに後方を向く面）に設けられている。角筒状の左枠部３０２と右枠部３０３においては、それぞれの内部に、第一断熱材３８が設けられている。第一内部スペース３５は、閉位置にあるときの第一扉３２に設けられた第一断熱材３８と、枠部３００，３０１，３０２，３０３のそれぞれに設けられた第一断熱材３８によって囲まれる。
【００３４】
第二分割体４は、前面が開口した矩形箱状の第二ハウジング４０と、荷出し口４１と、荷出し口４１を開閉する第二扉４２とを有する。第二ハウジング４０の内側には、第二内部スペース４３が設けられている。第二ハウジング４０、第二扉４２のそれぞれは、例えば、金属製である。
【００３５】
荷出し口４１は、第二ハウジング４０のうち、屋内側に露出する部分に設けられている。本実施形態では、荷出し口４１は、第二ハウジング４０の屋内外方向と直交する方向（つまり左右方向）を向く側面に設けられている。より詳しくは、荷出し口４１は、第二ハウジング４０の右の側面に設けられている。
【００３６】
第二ハウジング４０は、前面の開口の縁部分が、第一ハウジング３０の接続部３４に接続される第二接続部４４となっている。本実施形態では、第二接続部４４は、角筒状である。
【００３７】
第二ハウジング４０は、天板部４００と、底板部４０１と、左板部４０２と、右板部４０３と、後板部４０４とを一体に含む。板部４００，４０１，４０２，４０３，４０４は、前面が開口した矩形箱状に設けられている。右板部４０３には、開口が下端寄りに設けられており、この開口が荷出し口４１を構成している。
【００３８】
第二扉４２は、略矩形板状である。本実施形態では、第二扉４２は、その前端部を中心に回転して、荷出し口４１を開閉するように、第二ハウジング４０に回転自在に設けられている。荷出し口４１を閉じる閉位置にあるときの第二扉４２の外面（右面）と、右板部４０３の外面（右面）とは略面一である。
【００３９】
第二扉４２は、閉位置にある状態で、右板部４０３に対してロック可能に設けられており、これにより、第二ハウジング４０の内側から開くことができないようになっている。本実施形態では、第二扉４２には、鍵付きのレバーハンドル４２０が設けられている。なお、第二扉４２を右板部４０３に対してロックする機構としては、その他の周知のロック機構も採用可能である。
【００４０】
なお、第二扉４２は、荷出し口４１を開閉可能なように、第二ハウジング４０に設けられればよく、後端部や下端部や上端部を中心に回転するように設けられてもよい。
【００４１】
第二分割体４は、その内面側に設けられた第二断熱材４５をさらに備える。第二断熱材４５は、板状の断熱材である。第二断熱材４５としては、発泡スチロール等の周知の断熱材が用いられる。
【００４２】
第二断熱材４５は、第二ハウジング４０の内面側と、第二扉４２の内面側にそれぞれ設けられる。より詳細には、第二断熱材４５は、板部４００，４０１，４０２，４０３，４０４のそれぞれの内側を向く面と、第二扉４２の内側を向く面（つまり閉位置にあるときに左方を向く面）に設けられている。第二内部スペース４３は、閉位置にあるときの第二扉４２に設けられた第二断熱材４５と、板部４００，４０１，４０２，４０３，４０４のそれぞれに設けられた第二断熱材４５によって囲まれる。
【００４３】
以上説明した第一分割体３と第二分割体４とが組み合わされることで、宅配ボックス１が形成され、このとき、第一内部スペース３５と第二内部スペース４３とが組み合わさることによって、宅配ボックス１の内側に、宅配物が収容されるスペースが形成される。
【００４４】
宅配ボックス１は、第一分割体３の接続部３４と第二分割体４の第二接続部４４との間に介在する断熱材５をさらに備える。断熱材５は、例えば、パッキンである。断熱材５によって、接続部３４と第二接続部４４との間での熱の移動が抑制される。図３に示すように、本実施形態では、断熱材５は、接続部３４と第二接続部４４との間に、断面Ｌ字状に配される。
【００４５】
続いて、上述した宅配ボックス１の設置方法の一例について説明する。
【００４６】
宅配ボックス１の設置方法は、壁下地２１に設けられた貫通孔２０に第一分割体３を取り付ける第一工程Ｓ１と、壁下地２１の屋内側に内装材を施工する第二工程Ｓ２と、第一分割体３に第二分割体４を接続する第三工程Ｓ３と、を備える。第一工程Ｓ１と第二工程Ｓ２と第三工程Ｓ３はこの順に行う。
【００４７】
以下では、各工程Ｓ１〜Ｓ３について詳細に説明する。
【００４８】
第一工程Ｓ１では、図４Ａに示すように、まず、壁下地２１に設けられた貫通孔２０に、第一分割体３が前方（屋外側）から取り付けられる。このとき、第一分割体３の左右のフランジ３０７が、左右の柱の前面に重ねられ、第一分割体３の上下のフランジ３０７が、上下の横架材の前面に重ねられる。その後、各フランジ３０７に、屋外側からビス等の固定具１０が打ち込まれることで、各フランジ３０７が各柱と各横架材に固定されて、第一分割体３が貫通孔２０に取り付けられる。
【００４９】
次いで、図４Ｂに示すように、２本の柱と２本の横架材の前面には、胴縁２２を介して外装材２３が取り付けられる。これにより、第一分割体３の固定部３３（各フランジ３０７）は、外装材２３によって覆い隠される。胴縁２２及び外装材２３の、柱及び横架材への取り付けは、ビス等の固定具により行われる。
【００５０】
第二工程Ｓ２では、図４Ｃに示すように、まず、２本の柱と２本の横架材の後面に、内装下地材２４がビス等の固定具で取り付けられる。このとき、内装下地材２４の後面よりも前方に、第一分割体３の後端部の接続部３４が位置する（つまり、接続部３４は、外壁２の厚み内に位置する）。
【００５１】
次いで、内装下地材２４の後面に、内装仕上げ材２５が、接着等により取り付けられ、これにより、壁下地２１に各部材２２，２３，２４，２５が取り付けられた外壁２が形成される。このとき、内装仕上げ材２５は、例えば、貫通孔２０を塞ぐように、内装下地材２４に取り付けられた後、貫通孔２０に対応する部分が切断されるなどして、内装下地材２４の後面に取り付けられる。なお、内装仕上げ材２５は、貫通孔２０を塞がないように、内装下地材２４の後面に取り付けるようにしてもよい。
【００５２】
次いで、内装仕上げ材２５は、その端部２５０が、内装下地材２４の側面に沿うように折り曲げられて、この側面に接着等により取り付けられる。
【００５３】
第三工程Ｓ３では、図４Ｄに示すように、第一分割体３の接続部３４に、断熱材５を介して第二分割体４の第二接続部４４が取り付けられる。このとき、接続部３４と第二接続部４４とは、例えば、内部スペース３５，４３から打ち込まれたビス等の固定具１１によって固定される。
【００５４】
次いで、外壁２の屋内側面のうち貫通孔２０よりも下方の部分には、ビス等の固定具でＬ字状や直角三角形状の支持金具が固定され、第二分割体４はこの支持金具によって支持される。なお、支持金具の取り付けは、省略可能である。
【００５５】
上述した第一乃至第三工程Ｓ１〜Ｓ３をこの順に施工することで、宅配ボックス１は、外壁２に貫通するように設けられる。
【００５６】
宅配ボックス１は、例えば、図５Ａに示すように、玄関扉１２の側方の外壁２に設けられる。宅配ボックス１は、屋内においては、例えば、図５Ｂに示すように、玄関収納１３が周囲に設けられる。玄関収納１３は、複数の棚１４を備える。複数の棚１４のうちの一部は、宅配ボックス１の後方に、隣接して位置する。なお、宅配ボックス１の後方には、箱型の玄関収納が隣接して位置してもよい。このように、宅配ボックス１の後方に、後方への移動を制限する部材が位置することで、防犯性能が向上する。
【００５７】
以上説明した本実施形態の宅配ボックス１は、以下のように利用することができる。
【００５８】
宅配業者１５は、屋外側から操作部３６を操作することによって、図５Ａに示すように、第一扉３２を開くことができ、荷受け口３１を介して宅配ボックス１内に宅配物１６を収容することができる。その後、宅配業者１５は、第一扉３２を閉めることで、伝票に捺印の操作を行うことができる。
【００５９】
図５Ｂに示すように、宅配ボックス１の利用者１７は、屋内側から第二扉４２のロックを解除して第二扉４２を開くことで、宅配ボックス１内の宅配物１６を、荷出し口４１を介して取り出すことができる。利用者１７は、宅配物１６を取り出した後は、第二扉４２を閉じてロックをかける。
【００６０】
以上説明した宅配ボックス１は、玄関の壁のような建物の外壁２への設置にあたって、第一分割体３だけを壁下地２１に先に設置することができる。これにより、壁下地２１の屋内側に内装材（内装下地材２４，内装仕上げ材２５）を設置する際に、宅配ボックス１の屋内側部分（つまり第二分割体４）が邪魔になりにくい。
【００６１】
さらに、宅配ボックス１は、第一分割体３の後端部の接続部３４が内装下地材２４よりも屋内側に突出しないように設けられているため、第一分割体３が内装仕上げ材２５の施工の邪魔になりにくい。
【００６２】
また、宅配ボックス１は、接続部３４の後方に突出する突片部３０４が、第一ハウジング３０の外面から内側に離れて位置するため、内装仕上げ材２５の端部２５０を折り曲げて内装下地材２４の側面に取り付ける際に、突片部３０４が邪魔になりにくい。
【００６３】
また、宅配ボックス１は、外壁２に固定される各フランジ３０７が、外装材２３によって覆い隠され、各フランジ３０７の前方には、外装材２３及び胴縁２２が位置し、各フランジ３０７の後方には、壁下地２１が位置する。そのため、宅配ボックス１は、屋外側から取り外しにくくなっている。
【００６４】
また、宅配ボックス１の設置構造は、宅配ボックス１の後方に複数の棚１４が位置して、宅配ボックス１の後方への移動が制限されているため、屋外側から強い力で押圧されても、宅配ボックス１が外壁２から外れにくく、防犯性能の高い構造となっている。
【００６５】
また、宅配ボックス１は、第二扉４２が、荷受け口３１に対して一直線上に並んでいない点で、防犯性能の高い構造となっている。
【００６６】
また、上述した宅配ボックス１の設置方法によれば、壁下地２１に設けられた貫通孔２０は、外装材２３や内装材（内装下地材２４、内装仕上げ材２５）の施工の前に、第一分割体３によって塞ぐことができる。そのため、完成前の住宅内に、貫通孔２０を通じて侵入されることも抑制できる。
【００６７】
また、宅配ボックス１では、屋外側に露出する第一分割体３と、屋内側に露出する第二分割体４との間に、断熱材５を介在することで、外気温の変化に伴って高温化や低温化しやすい第一分割体３の熱が、第二分割体４へと伝わることを抑制できる。そのため、第二分割体４が高温化や低温化して、使い勝手が悪くなることを抑制することができる。
【００６８】
また、宅配ボックス１では、内面側に断熱材３８，４５が設けられているため、外気温の変化に伴って、宅配ボックス１の内部のスペースの温度が高温化や低温化することも抑制できる。
【００６９】
（変更例）
以上説明した実施形態１の宅配ボックス１及び宅配ボックス１の設置構造は、下記の変更例を採用可能である。
【００７０】
宅配ボックス１が貫通するように設置される外壁２は、玄関の壁に限らず、玄関の壁以外の建物の外壁や、玄関のサッシの内側において玄関扉の隣に並ぶように設けられる固定壁であってもよい。
【００７１】
宅配ボックス１は、第一断熱材３８と第二断熱材４５のいずれか一方、または両方を備えなくてもよい。
【００７２】
宅配ボックス１は、断熱材５を備えなくてもよい。
【００７３】
荷出し口４１は、第二ハウジング４０の右の側面に限らず、第二ハウジング４０の屋内外方向と直交する方向を向く側面の１つである、左の側面や上面や下面に設けられてもよい。
【００７４】
また、荷出し口４１は、第二ハウジング４０の屋内側に露出する部分に設けられればよく、第二ハウジング４０の後面（後板部４０４）に設けられてもよい。
【００７５】
外壁２は、外装材２３の屋内側に位置し、貫通孔２０に対応する部分が開口した板状の外装下地材をさらに備えてもよく、この場合、各フランジ３０７は、この板状の外装下地材を介して壁下地２１に固定される。
【００７６】
宅配ボックス１は、第一分割体３の接続部３４が、外壁２から屋内側に少し突出する様態で外壁２に取り付けられてもよい。この場合でも、第二分割体４が未装着の状態で、壁下地２１の屋内側に内装材を取り付けることができるため、内装材の施工の邪魔になりにくい。
【００７７】
宅配ボックス１は、図６に示す変更例のように、郵便物が投函される投函口６と、投函された郵便物を収容する収容部７と、収容部７から郵便物を取り出すための取出口８と、取出口８を開閉する扉９とをさらに備えてもよい。
【００７８】
投函口６は、第一分割体３の前面に設けられており、荷受け口３１の上方に位置する。収容部７は、第一分割体３の内側と第二分割体４の内側とに亘って設けられており、内部スペース３５，４３の上方に位置し、かつ内部スペース３５，４３とは区切られた空間である。取出口８は、第二分割体４の右の側面に設けられており、荷出し口４１の上方に位置する。扉９は、第二分割体４の右の側面に回転自在に設けられており、荷出し口４１の上方に位置する。扉９は、例えば、その上端部を軸に回転するように設けられている。なお、図６に示す変更例では、操作部３６は、宅配ボックス１とは別に設けられる。
【００７９】
図６に示す変更例の宅配ボックス１では、宅配物１６の受取りと、郵便物の受取りの両方が可能である。
【００８０】
（効果）
以上述べた実施形態１及びその変更例から明らかなように、本発明に係る第１の態様の宅配ボックス（１）は、建物の外壁（２）に貫通するように設置される。宅配ボックス（１）は、宅配ボックス（１）の屋外側部分を構成する第一分割体（３）と、宅配ボックス（１）の第一分割体（３）よりも屋内側の部分を構成する第二分割体（４）とを備える。
【００８１】
第一分割体（３）は、第一ハウジング（３０）と、荷受け口（３１）と、荷受け口（３１）を開閉する第一扉（３２）と、外壁（２）に固定される固定部（３３）と、第二分割体（４）に接続される接続部（３４）と、を有する。第一ハウジング（３０）の内側には、第一内部スペース（３５）が形成されている。荷受け口（３１）は、第一ハウジング（３０）の屋外側に露出する部分に設けられている。固定部（３３）と接続部（３４）は、第一ハウジング（３０）に設けられている。
【００８２】
第二分割体（４）は、内部スペース（４３）が内側に形成された第二ハウジング（４０）と、第二ハウジング（４０）の屋内側に露出する部分に設けられた荷出し口（４１）と、荷出し口（４１）を開閉する第二扉（４２）と、を有する。
【００８３】
第一内部スペース（３５）と第二内部スペース（４３）とが組み合わさって、宅配物が収容されるスペースが形成される。
【００８４】
第１の態様によれば、宅配ボックス（１）の設置にあたって、内装材を施工する前の外壁（２）に、第一分割体（３）のみを設置した後で、外壁（２）に内装材を施工することができる。そのため、内装材を施工する際に、宅配ボックス（１）の屋内側部分（つまり第二分割体（４））が屋内側に大きく突出することがなく、内装材の施工の邪魔になりにくい。したがって、第一の態様によれば、建物の外壁（２）への設置にあたって、宅配ボックス（１）が内装材の施工の邪魔になりにくい。
【００８５】
また、本発明に係る第２の態様の宅配ボックス（１）では、第１の態様において、接続部（３４）は、第一ハウジング（３０）の屋内側の端部に位置し、かつ外壁（２）の厚み内に位置するように設けられている。
【００８６】
第２の態様によれば、外壁（２）に第一分割体（３）を設置した状態で、第一分割体（３）の屋内側の端部の接続部（３４）が、外壁（２）から屋内側に突出しない。そのため、第２の態様によれば、内装材を施工する際に、第一分割体（３）が邪魔になりにくい。
【００８７】
また、本発明に係る第３の態様の宅配ボックス（１）では、第１または第２の態様において、固定部（３３）は、第一ハウジング（３０）から外側に突出するフランジ（３０７）で構成されている。
【００８８】
第３の態様によれば、フランジ（３０７）が外壁（２）に対して屋内外方向に重なる様態で、第一分割体（３）を外壁（２）に固定することができるため、屋外側から取り外そうとしても、宅配ボックス（１）が外壁（２）から外れにくい。つまり、第３の態様によれば、屋外側からのこじ開け（足で蹴破る等）に対しての防犯性能の向上を図ることができる。
【００８９】
また、本発明に係る第４の態様の宅配ボックス（１）では、第１乃至第３の態様のいずれか１つにおいて、第二ハウジング（４０）の屋内外方向と直交する方向を向く側面に、荷出し口（４１）が設けられている。
【００９０】
第４の態様によれば、荷受け口（３１）と荷出し口（４１）とが屋内外方向に一直線状に並ばないため、荷出し口（４１）を閉じる第二扉（４２）が蹴破りにくく、防犯性能の向上を図ることができる。
【００９１】
また、本発明に係る第５の態様の宅配ボックス（１）では、第１乃至第４の態様のいずれか１つにおいて、接続部（３４）と第二分割体（４）との間に介在する断熱材（５）をさらに備える。
【００９２】
第５の態様によれば、屋外側に露出する第一分割体（３）と屋内側に露出する第二分割体（４）との間での熱の移動を、断熱材（５）によって抑制することができ、第二分割体（４）の高温化や低温化を抑制することができる。
【００９３】
また、本発明に係る第６の態様の宅配ボックス（１）では、第１乃至第５の態様のいずれか１つにおいて、第一分割体（３）は、その内面側に設けられた第一断熱材（３８）をさらに有する。第二分割体（４）は、その内面側に設けられた第二断熱材（４５）をさらに有する。
【００９４】
第６の態様によれば、外気温の変化に合わせて、宅配ボックス（１）の内部のスペースの温度が、高温化したり低温化することを抑制することができる。
【００９５】
また、本発明に係る第７の態様の宅配ボックス（１）の設置方法は、第１乃至第６の態様のいずれか１つの宅配ボックス（１）を、建物の外壁（２）に貫通するように設置する方法である。この設置方法は、第一工程（Ｓ１）と第二工程（Ｓ２）と第三工程（Ｓ３）とを備える。第一工程（Ｓ１）では、壁下地（２１）に設けられた貫通孔（２０）に第一分割体（３）を取り付ける。第二工程（Ｓ２）では、壁下地（２１）の屋内側に内装材（内装下地材（２４）と内装仕上げ材（２５））を施工する。第三工程（Ｓ３）では、第一分割体（３）に第二分割体（４）を接続する。この設置方法では、第一工程（Ｓ１）と第二工程（Ｓ２）と第三工程（Ｓ３）をこの順に行う。
【００９６】
第７の態様によれば、第一分割体（３）のみを壁下地（２１）の貫通孔（２０）に設けた後で、壁下地（２１）の屋内側に内装材を施工することができるため、内装材の施工の際に、第二分割体（４）が邪魔にならない。
【００９７】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００９８】
１      宅配ボックス
２      外壁
２０    貫通孔
２１    壁下地
３      第一分割体
３０    第一ハウジング
３１    荷受け口
３２    第一扉
３３    固定部
３４    接続部
３５    第一内部スペース
３８    第一断熱材
３０７  フランジ
４      第二分割体
４０    第二ハウジング
４１    荷出し口
４２    第二扉
４３    第二内部スペース
４５    第二断熱材
Ｓ１    第一工程
Ｓ２    第二工程
Ｓ３    第三工程
【図１】
0006757905.tif 000002
【図２】
0006757905.tif 000003
【図３】
0006757905.tif 000004
【図４】
0006757905.tif 000005
【図５】
0006757905.tif 000006
【図６】
0006757905.tif 000007